(57)【特許請求の範囲】
【請求項１】
肘部を覆う着用物品であって、
伸縮性を有する素材で形成され、肘部を覆う本体部と、
上腕二頭筋の近位付着部と上腕三頭筋の近位付着部の境界から、上腕骨外側上顆まで、上腕を周回することなく設けられ、上腕骨外側上顆から、肘頭より遠位側を通って、手首の尺側まで、前腕を周回することなく設けられ、前記本体部よりも強い緊締力を有する主緊締部と、
上腕二頭筋の近位付着部と上腕三頭筋の近位付着部の境界から、肘頭より近位側を通って、前腕で前記主緊締部に接続して設けられ、前記本体部よりも強く、前記主緊締部よりも弱い緊締力を有する副緊締部
を備えることを特徴とする肘部を覆う着用物品。
【請求項２】
前記主緊締部において、上腕に設けられる部分は、前腕に設けられる部分よりも、強い緊締力を有する
ことを特徴とする請求項１に記載の肘部を覆う着用物品。
【請求項３】
前記主緊締部は、帯状に形成され、前記帯状の近位側の短手方向は、上腕二頭筋の近位付着部と上腕三頭筋の近位付着部の境界から上腕二頭筋の近位付着部に対応する位置に設けられる
ことを特徴とする請求項１または２に記載の肘部を覆う着用物品。
【請求項４】
前記主緊締部は、帯状に形成され、前記帯状の遠位側の短手方向は、手首の尺側から掌側に対応する位置に設けられる
ことを特徴とする請求項１ないし３のいずれか１項に記載の肘部を覆う着用物品。
【発明の詳細な説明】
【技術分野】
【０００１】
本発明は、肘部を覆う着用物品に関する。
【背景技術】
【０００２】
ランニング、ウォーキング、ゴルフなどのスポーツにおいて、腕振りの重要性が知られている。例えばランニングにおいて、肘を後方に引くことで、骨盤が回旋し、前方への推進力につながる。
【０００３】
効率的に腕振りをする際、脇が開き、肘が身体から離れた状態で腕振りをすると、左右方向へ腕振りすることになり、上肢が大きくぶれ、エネルギーロスが生じる。これに対し、脇を閉めて腕振りすることにより、前後方向へ腕振りすることになり、前方への推進力が高まる。
【０００４】
そこで、肩関節の外旋を誘導することで、効率的な腕振りを実現するアンダーシャツやサポーターなどの着用物品がある（例えば、特許文献１および特許文献２参照）。特許文献１に記載のアンダーシャツは、首部近傍から肩部を経由して肘部近傍までの間に、スパイラル状に裁断され、強い伸度を有する裁断片を、腕部外側から内側に向けて斜め下方向に捲回して設ける。また特許文献１に記載のアンダーシャツの前腕において、裁断片が何周かで周回しながら捲かれる。
【０００５】
特許文献２に記載のサポーターは、過度の内旋や外反を防止するために、肘頭を囲うサポート部を有する。サポート部は、上腕の中央近辺に配置され体肢を緊締するアンカー部に接続する。
【先行技術文献】
【特許文献】
【０００６】
【特許文献１】特開２００８−１６９５０１号公報
【特許文献２】特開２００８−１０６４０４号公報
【発明の概要】
【発明が解決しようとする課題】
【０００７】
しかしながら、いずれの着用物品も、動きやすさの観点で問題があると考えられる。
【０００８】
特許文献１に記載のアンダーシャツは、首部近傍から肩部を経由して肘部近傍までの間に設けられる裁断片が強い伸度を有することにより、肩関節周辺の動きが妨げられる可能性がある。また特許文献１に記載のアンダーシャツの前腕において、裁断片が何周かで周回しながら捲かれることにより、手首の回内および回外の動きが制限される可能性がある。
【０００９】
特許文献２に記載のサポーターは、肘の周りをサポート部が囲うので、肘が外に出ようとしても、サポート部により動きが制限される可能性がある。また特許文献２に記載のサポーターは、過度の内旋や外反を防止するものであり、外旋を誘導するものではなく、効率的に腕振りができない可能性がある。
【００１０】
そこで、動きやすく、肩関節の外旋を誘導可能な、肘部を有する着用物品の開発が期待される。
【００１１】
従って本発明の目的は、着用者の動きやすさと肩関節の外旋の誘導を両立可能な、肘部を覆う着用物品着用物品を提供することである。
【課題を解決するための手段】
【００１２】
上記課題を解決するために、本発明の特徴は、肘部を覆う着用物品に関する。本発明の特徴に係る肘部を覆う着用物品は、伸縮性を有する素材で形成され、肘部を覆う本体部と、上腕二頭筋の近位付着部と上腕三頭筋の近位付着部の境界から、上腕骨外側上顆まで、上腕を周回することなく設けられ、本体部よりも強い緊締力を有する緊締部を備える。
【発明の効果】
【００１３】
本発明によれば、着用者の動きやすさと肩関節の外旋の誘導を両立可能な、肘部を覆う着用物品着用物品を提供することができる。
【図面の簡単な説明】
【００１４】
【図１】図１は、本発明の実施の形態に係るサポーターの正面図である。
【図２】図２は、本発明の実施の形態に係るサポーターの背面図である。
【図３】図３（ａ）は、本発明の実施の形態に係るサポーターの着用状態の正面図であって、図３（ｂ）は、背面図である。
【図４】図４は、本発明の実施の形態に係るサポーターの着用状態の正面の拡大図である。
【図５】図５は、本発明の実施の形態に係るサポーターの着用状態の背面の拡大図である。
【図６】図６は、本発明の実施の形態に係るサポーターを着用して腕を曲げた状態を、背面から観察した図である。
【図７】図７は、肘の開きおよび引きを説明する図である。
【図８】図８は、肘の開きおよび引きの効果を説明する図である。
【図９】図９は、本発明の変形例に係るシャツを説明する図である。
【発明を実施するための形態】
【００１５】
次に、図面を参照して、本発明の実施の形態を説明する。以下の図面の記載において、同一または類似の部分には同一または類似の符号を付している。
【００１６】
本発明の実施の形態において、「肘部を覆う着用物品」は、肘部を覆うサポーター、スポーツ用アンダーシャツなどの上半身衣類を示す。また、本発明の実施の形態において、着用物品に関する位置を、骨や筋肉の位置に対応づけて説明する場合もあるが、これは、「骨または筋肉の近傍の位置」を意味する。
【００１７】
（実施の形態）
図１ないし図６を参照して、本発明の実施の形態に係るサポーター１を説明する。サポーター１は、肘部を覆う着用物品であって、着用者の動きやすさと、肩関節の外旋運動の誘導による腕振りの効率化との両立を、可能とする。本発明の実施の形態に係るサポーター１は、主に右肘を覆う右用を説明するが、左肘を覆う左用は、右用の左右対称に形成される。
【００１８】
サポーター１は、図１および図２に示すように、本体部２、主緊締部３および副緊締部４を備える。着用者は、図３に示すように、右用のサポーター１と、左用のサポーター１ａの両方を着用しても良いし、右用のサポーター１および左用のサポーター１ａのうちのいずれかのみを着用しても良い。
【００１９】
本発明の実施の形態に係るサポーター１は、シート状に形成された生地を縫い合わせて筒状を形成するため、縫い目が設けられる場合を説明するが、これに限られない。サポーター１は、例えば、筒状に編んで形成されても良いし、シート状に形成された生地を面ファスナーなどによって筒状に形成されても良い。
【００２０】
本体部２は、肘部を覆う筒状部材であって、着用者の肘の屈曲および伸長の動きや、肩関節の動きに追従してフィットする伸縮性を有する素材で形成される。本体部２は、図３に示すように、上腕の中程から手首までを覆うが、これに限るものではない。具体的には、前腕部分を覆わず上腕中程から肘近傍を覆っても良いし、手首からさらに遠位に伸長して、手または指まで覆っても良い。
【００２１】
本体部２は、例えば、ツーウェイトリコット、ツーウェイラッセル、ダブルラッセル、丸編み、レース材等を用いた編地、ベア天竺などで形成される。ツーウェイトリコットは、例えば、ポリエステル混糸率８２．９％およびポリウレタン混糸率１７．１％で構成されるが、この構成に限るものではない。本体部２は、生地の経方向の伸長回復性が、４０ｃＮから９０ｃＮ程度で、生地の緯方向の伸長回復性が、３０ｃＮから６０ｃＮ程度の素材が好ましい。伸長回復性は、試験片を定速伸長形引張試験機に取り付け、３００ｍｍ／分程度の速度で伸長回復を複数回繰り返し、３０％伸長した際の伸長力（ｃＮ）と、３０％回復した際の回復力（ｃＮ）の平均により算出される。ここで試験片は、１６０ｍｍ×２５ｍｍであって、試験片は、上部つかみ２５ｍｍ、下部つかみ３５ｍｍおよびつかみ間隔１００ｍｍで、定速伸長形引張試験機に取り付けられる。
【００２２】
主緊締部３は、本体部２よりも強い緊締力を有する。主緊締部３は、肘を後ろに引いたときに、生地が引っ張られ、引っ張られた生地が縮み元に戻る力により、肩関節を外旋方向に誘導する。このように、常に強いパワーをかけるのではなく、肘を後方に引いたときに肩関節の外旋を誘導することができるので、主緊締部３は、動きの妨げにならず、効率的に外旋を誘導する機能を発揮することができる。
【００２３】
本発明の実施の形態において主緊締部３は、パワーネットやトリコットなどの伸縮性のある帯状の素材を、本体部２に重ねて固着する場合を説明するが、これに限らない。主緊締部３は、本体部２の編み構造を変化させたり、樹脂プリントを施したりすることによって、所望の緊締力を実現しても良い。また、本体部２に主緊締部３の生地を重ねるのではなく、主緊締部３の生地と本体部２を縫い合わせることにより、主緊締部３が、本体部２を介することなく、着用者に緊締力を与えるように形成されても良い。
【００２４】
本発明の実施の形態で用いる主緊締部３のパワーネットは、生地の経方向の伸長回復性が、６０ｃＮから１５０ｃＮ程度で、生地の緯方向の伸長回復性が、５０ｃＮから１２０ｃＮ程度の素材が好ましい。
【００２５】
主緊締部３のパワーネットは、水平方向（上腕の周方向）に伸縮しにくく、垂直方向（上腕の長手方向）に伸縮しやすい方向に裁断されて、本体部２に固着されることが好ましい。これにより、サポーター１の上腕部分の長手方向において、生地が伸縮しやすく、肩関節を外旋方向に誘導するパワーを与えることを可能とする。
【００２６】
主緊締部３は、図４および図５に示すように、上腕二頭筋の近位付着部と上腕三頭筋の近位付着部の境界Ｐ１から、上腕骨外側上顆Ｐ２まで、設けられる。肘を後ろに引いたときに、主緊締部３の生地が引っ張られる。主緊締部３は、引っ張られた生地が縮み元に戻る力で、上腕二頭筋の近位付着部と上腕三頭筋の近位付着部の境界Ｐ１を支点として、上腕骨外側上顆Ｐ２を身体方向に寄せ、肩関節を外旋方向に誘導することを可能とする。これにより、脇が閉まった状態となるので、効率的に、前後方向に大きく腕を振ることを可能とする。本発明の実施の形態に係るサポーター１は、肩関節近傍に緊締を加えることなく、主緊締部３が境界Ｐ１と上腕骨外側上顆Ｐ２とを接続することにより、効率的に肩関節の外旋運動を誘導する。従って、サポーター１は、肩関節の動きを妨げることなく、少ないパワーで肩関節の十分な外旋を誘導することができる。
【００２７】
ここで、主緊締部３の支点を設ける上腕二頭筋の近位付着部と上腕三頭筋の近位付着部の境界Ｐ１は、筋の付着部であるため、筋の移動がない。主緊締部３の支点を上腕二頭筋または上腕三頭筋の直上に設けると、腕運動で筋が移動することにより、支点がぶれ、肩関節を外旋方向に誘導するパワーにロスが生じてしまう。そこで本発明の実施の形態において、筋の移動がない境界Ｐ１に主緊締部３の支点を設けることにより、支点のぶれを抑制して、効率的に肩関節を外旋方向に誘導することを可能とする。
【００２８】
また主緊締部３が接続する上腕骨外側上顆Ｐ２は、骨が隆起し、肘部外側に位置する。従って、境界Ｐ１から上腕骨外側上顆Ｐ２にかけて主緊締部３が設けられることにより、上腕骨外側上顆Ｐ２に主緊締部３のパワーを集めることが可能になるので、少ないパワーで、効率的に肩関節を外旋方向に誘導することを可能とする。
【００２９】
主緊締部３は、さらに、上腕骨外側上顆Ｐ２から、肘頭Ｐ４より遠位側を通って、手首の尺側Ｐ３まで、前腕を周回することなく設けられる。主緊締部３が手首側まで延伸することにより、上腕骨外側上顆Ｐ２を身体に寄せるパワーをさらに与えることができるので、上腕における外旋運動をさらに誘導することができる。また主緊締部３が手首側まで延伸することにより、肘関節の動きに伴う着くずれによって上腕骨外側上顆Ｐ２が適切に緊締されない状態を回避し、上腕骨外側上顆Ｐ２を緊締することを可能にする。また肘頭Ｐ４を避けて、主緊締部３が配設されることにより、主緊締部３の緊締力によって、肘頭Ｐ４が動きづらく、肘の曲げ伸ばしがしづらくなる状態を回避することができる。
【００３０】
また、主緊締部３が設けられる手首の尺側Ｐ３、すなわち小指下近傍は、手首の回内および回外の支点となるため、動きが少ない。従って、主緊締部３を手首の尺側Ｐ３に設けることにより、腕や手首の動きによる着くずれが少なく、前腕の動きによる着くずれも防ぐことができる。
【００３１】
主緊締部３は、帯状に形成され、腕の周方向に帯状の短手方向が配設され、腕の長手方向に、帯状の長手方向が配設される。主緊締部３の帯状の近位側の短手方向は、上腕二頭筋の近位付着部と上腕三頭筋の近位付着部の境界Ｐ１から上腕二頭筋の近位付着部に対応する位置に設けられる。ここで主緊締部３の上端は、上腕二頭筋および上腕三頭筋に跨るように配設されるのではなく、上端の角が境界Ｐ１に対応するように配設されることが好ましい。これにより、境界Ｐ１における支点のぶれを抑制することができる。図４に示す例において、主緊締部３の上端は、境界Ｐ１から、上腕二頭筋にかけて設けられる。本発明の実施の形態において主緊締部３の上端は、平置き時において、５〜１０センチ程度の長さを有するように配設されるが、この範囲に限らず、主緊締部３を形成する素材や、求められる緊締力により、適宜調整される。
【００３２】
また主緊締部３の帯状の遠位側の短手方向は、手首の尺側Ｐ３から掌側に対応する位置に設けられる。手首の掌側に、主緊締部３を設けることにより、手首の掌屈および背屈による皮膚の動きの影響を受けづらく、主緊締部３の着くずれを防止することができる。本発明の実施の形態において主緊締部３の下端は、平置き時において、３〜５センチ程度の長さを有するように配設されるが、この範囲に限らず、主緊締部３を形成する素材や、求められる緊締力により、適宜調整される。
【００３３】
主緊締部３は、上腕に設けられる部分は、前腕に設けられる部分よりも、強い緊締力を有するように形成される。ここで、前腕における緊締を強くすると、肩関節の外旋を制限するとともに、手首の回内および回外を制限することになる。従って、前腕における緊締を弱くすることにより、手関節の動きを妨げることなく、肩関節の外旋を妨げないように作用することができる。
【００３４】
本発明の実施の形態に係る主緊締部３は、主緊締部３を形成する帯状部材の幅（短手方向の長さまたは周方向の長さ）によって、緊締力の強弱を調整している。すなわち、主緊締部３は、上腕において太く、前腕において細くなるように形成される。この他、主緊締部３の上腕および前腕位置で編み地を変えたり、樹脂プリントの量、密度、素材等を変えたりすることで、緊締力の強弱を調整しても良い。
【００３５】
ここで、主緊締部３は上腕を周回することなく設けられるとともに、前腕を周回することなく設けられ、サポーター１の全体で上腕ないし前腕を緩やかに約１周するように、設けられる。図３等に示すように、本発明の実施の形態に係るサポーター１の主緊締部３（濃いハッチ部分）は、前腕内側から肘頭Ｐ４の遠位側を通って、手首の掌側まで、緩やかに腕を約１周回るように、形成される。このように、主緊締部３は、腕周りも何周も周回しないように形成されるので、動きやすさを阻害することなく、自然な腕振りを実現することを可能とする。
【００３６】
副緊締部４は、本体部２よりも強い緊締力を有し、主緊締部３よりも弱い緊締力を有する。副緊締部４は、上腕二頭筋の近位付着部と上腕三頭筋の近位付着部の境界Ｐ１から、肘頭Ｐ４より近位側を通って、前腕で主緊締部３に接続して設けられる。副緊締部４は、主緊締部３による外旋の誘導をサポートする。具体的には、主緊締部３および副緊締部４は、図６に示すように、肘頭Ｐ４を避けて、肘頭Ｐ４を挟み込むように配設されるので、着用者は、主緊締部３および副緊締部４による緊締力の影響を受けずに、肘を曲げることができる。また、主緊締部３および副緊締部４は、肘頭Ｐ４を挟み込むように形成されるので、肘頭Ｐ４の隆起により、主緊締部３および副緊締部４の位置のずれを回避することができる。従って、副緊締部４は、主緊締部３による緊締力を与える位置をずれにくくすることができ、主緊締部３が、境界Ｐ１および上腕骨外側上顆Ｐ２を適切に緊締することができる。
【００３７】
副緊締部４は、上腕内側から肘頭の近位方向を通って、前腕中程で主緊締部３に接続し、緩やかに腕を１周弱回るように、形成される。このように、副緊締部４は、主緊締部３と同様に、動きやすさを阻害することなく、自然な腕振りを実現することを可能とする。
【００３８】
図７および図８を参照して、肘の開きおよび肘の引きの効果を説明する。肘の開きは、図７（ａ）に示すように、着用者を背面から見た状態で、首の付け根を通る垂直の線と、首の付け根と肘頭Ｐ４とを結ぶ線の角度で表す。肘の引きは、図７（ｂ）に示すように、着用者を側面から見た状態で、肩峰を通る垂直の線と、肩峰と肘頭Ｐ４とを結ぶ線の角度で表す。
【００３９】
図８（ａ）は、比較品と本発明の実施の形態に係るサポーター１の肘の開きを比較した図であって、図８（ｂ）は、肘の引きを比較した図である。ここで、比較品は、主緊締部３および副緊締部４を有さない本体部２のみのサポーターである。図８（ａ）に示すように、本発明の実施の形態に係るサポーター１の肘の開きは、比較品と比べて約２％減少し、より肘を身体側に寄せて脇を閉める効果があることが判る。図８（ｂ）に示すように、本発明の実施の形態に係るサポーター１の肘の引きは、比較品と比べて約１０％増加し、より肘を後方に大きく引ける効果があることが判る。
【００４０】
図８から、本発明の実施の形態に係るサポーター１は、脇を締めて肘を後方に引くように誘導することができるので、効果的な腕振りを支援し、前方への推進力を向上させる効果があることがわかる。
【００４１】
このような本発明の実施の形態に係るサポーター１は、伸縮性を有する本体部２に、上腕二頭筋の近位付着部と上腕三頭筋の近位付着部の境界Ｐ１と、上腕骨外側上顆Ｐ２に緊締力を与える主緊締部３を配設する。これによりサポーター１は、肘を後方に引いたときに、主緊締部３が伸長し、主緊締部３の戻る力により引張力を発生させ、肩関節の外旋を誘導することができる。このように、常に強いパワーをかけるのではなく、肘を後方に引いたときに肩関節の外旋を誘導することができるので、動きの妨げにならず、効率的に肩関節の外旋を誘導することができる。
【００４２】
（変形例）
図９を参照して、本発明の実施の形態に係る着用物品の変形例を説明する。
【００４３】
図９に示すシャツ１ｂは、本発明の実施の形態に係るサポーター１の主緊締部３および副緊締部４を、シャツに適用したものである。シャツ１ｂは、伸縮性を有する素材で形成される本体部２ｂに、主緊締部３ｂおよび副緊締部４ｂを備える。図９に示す主緊締部３ｂおよび副緊締部４ｂは、サポーター１の主緊締部３および副緊締部４に対応し、主緊締部３ｂおよび副緊締部４ｂは、左右対称に設けられる。
【００４４】
変形例に係るシャツ１ｂは、腕部分に本発明の実施の形態に係るサポーターの機能を備え、肩関節近辺には何ら緊締を与えないので、サポーター１と同様に、動きやすさや、肩関節の外旋方向への誘導を両立することができる。
【００４５】
なお図９に示すシャツ１ｂは、左右両腕に、本発明の実施の形態に係る主緊締部３および副緊締部４を適用する場合を説明したが、これに限られない。例えば着用者の症状によって、左腕のみに設けても良いし、右腕のみに設けても良い。
【００４６】
（その他の実施の形態）
上記のように、本発明の実施の形態とその変形例によって記載したが、この開示の一部をなす論述および図面はこの発明を限定するものであると理解すべきではない。この開示から当業者には様々な代替実施の形態、実施例および運用技術が明らかとなる。
【００４７】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００４８】
１  サポーター
２  本体部
３  主緊締部
４  副緊締部
【図１】
0006447293.tif 000002
【図２】
0006447293.tif 000003
【図３】
0006447293.tif 000004
【図４】
0006447293.tif 000005
【図５】
0006447293.tif 000006
【図６】
0006447293.tif 000007
【図７】
0006447293.tif 000008
【図８】
0006447293.tif 000009
【図９】
0006447293.tif 000010